(57)【要約】      （修正有）【課題】鮮やかな色調や模様を背景に有し、ガラス窓等に貼り付けた場合においても美観を損なわず、反対側から鮮やかな色調の模様を見ることができる貼り絵を提供する。【解決手段】基板１およびその表面から立ち上がる多数の雄型係合素子２からなる雄型成形面ファスナーの該雄型係合素子に、着色された繊維または布帛３を係合させて模様を形成した貼り絵であって、該雄型成形面ファスナーが透明性を有していることを特徴とする貼り絵。【選択図】図３
2018126875.tif 000002
【特許請求の範囲】
【請求項１】
基板およびその表面から立ち上がる多数の雄型係合素子からなる雄型成形面ファスナーの該雄型係合素子に、着色された繊維または布帛を係合させて模様を形成した貼り絵であって、該雄型成形面ファスナーが透明性を有していることを特徴とする貼り絵。
【請求項２】
雄型成形面ファスナーの裏面を透明な粘着剤により板に貼り合わせた請求項１に記載の貼り絵。
【請求項３】
前記板が、透明な合成樹脂製またはガラス製の板である請求項２に記載の貼り絵。
【請求項４】
前記貼り絵の裏面に別の貼り絵が重ね合わされ、裏面に重ね合わせた別の貼り絵の模様が雄型成形面ファスナーを通して見ることができる請求項１〜３のいずれかに記載の貼り絵。
【請求項５】
基板および雄型係合素子がともにアクリル酸ブチルとメタクリル酸メチルのブロック共重合体からなる請求項１〜４のいずれかに記載の貼り絵。
【請求項６】
雄型成形面ファスナーが、基板から突出するステムの先端が逆Ｊ字型に曲がっている形状を有している雄型係合素子が基板表面に列をなして多数存在しており、同一列に存在している雄型係合素子は曲がっている方向が列方向でかつ同一であり、さらに１列単位であるいは複数列単位で曲がっている方向が逆となっている請求項１〜５のいずれかに記載の貼り絵。
【請求項７】
雄型係合素子の高さが０．３ｍｍ〜１．０ｍｍで、雄型係合素子を上面から見た場合に係合素子が基板に占める面積割合が１５〜４０％である請求項１〜６のいずれかに記載の貼り絵。
【発明の詳細な説明】
【技術分野】
【０００１】
本発明は、透明な雄型成形面ファスナーの表面に着色した繊維や布帛を同面ファスナーの雄型係合素子を用いて模様状に固定する貼り絵に関する。
【背景技術】
【０００２】
従来から、面ファスナーを用いた貼り絵は公知であり、例えば特許文献１には、フック状係合素子を有する面ファスナーを台紙として、その表面に着色したループ状係合素子を有する面ファスナーを特定の形状として係合させて模様を形成した貼り絵が記載されている。そして、この特許文献１には、フック状係合素子を有する面ファスナーとして、日本工業規格ＪＩＳ−Ｌ−３４１６に記載されたものが使用できると記載されている。
【０００３】
日本工業規格ＪＩＳ−Ｌ−３４１６に記載された面ファスナーとは、織編物を基布とし、その表面にモノフィラメントからなるフック状係合素子を多数存在させた織編物系の面ファスナーである。この織編物系の面ファスナーの場合には、基布は織編物であることから全くの不透明であり、このような基布に樹脂を含浸させても不透明性はほとんど改善されない。
【０００４】
面ファスナーを用いた貼り絵では、面ファスナーの裏面に背景となる模様を形成したシートを重ね合わせて表面側から見た場合に、裏面のシートを背景にして貼り絵が浮き出して見えるようにすることが深みのある模様を有する貼り絵を得る上で好ましいこととなるが、上記の特許文献に記載された織編物を基布とする面ファスナーを用いた場合には、このような背景となる模様シートを裏面に重ね合わせても、模様シートが表面に反映せず、裏面に重ね合わせる意味が全くなく、深みのある貼り絵が得られない。
【０００５】
また最近、窓ガラス等に装飾用シートを模様状に貼り合わせることがクリスマス等の飾り付けとして広く行われているが、同様に窓ガラスに面ファスナーを貼り付け、その面ファスナーに着色された繊維や布帛等を係合させることにより、容易に窓ガラスに好みの模様を貼り付けることが可能となるが、面ファスナーが織編物を基布とする面ファスナーである場合には、その不透明性から面ファスナーの存在が目立つこととなり、美観を損なうこととなり、さらに窓ガラスを反対面から見た場合には、面ファスナーの存在により模様が殆ど見えないこととなる。
【先行技術文献】
【特許文献】
【０００６】
【特許文献１】特開平８−６４８８号公報（特許請求の範囲、０００７段落、図１〜３）
【発明の概要】
【発明が解決しようとする課題】
【０００７】
もし、面ファスナーが透明性に優れたものであるならば、そのような面ファスナーに着色した繊維や布帛を係合させて模様を形成した場合には、面ファスナーの存在が目立たずに美観を損なわず、裏面から見た場合にも表面側の模様が見えることとなり、表面および裏面の両面から模様を楽しむことが可能となる。
【０００８】
従来から雄型面ファスナーとして、織物や編物を基布とし、その表面に基布に織り込んだモノフィラメントを基布表面から立ち上がらせてフック状としたものが広く用いられているが、このような雄型面ファスナーでは透明性を有する面ファスナーは到底得ることができない。
【０００９】
以上のことから、従来の雄型面ファスナーでは、鮮やかな背景色を有する貼り絵を得ることはできず、ガラス窓に貼り付けた場合においても、反対側から鮮やかな色調の模様を見ることはできない。
【００１０】
本発明は、このような問題点、すなわち雄型係合素子を有する面ファスナーは不透明であったり、透明性に劣るものであることから、その用途が限定されており、貼り絵等の固定手段として使用しても鮮やかな色調や模様を背景に有する貼り絵を得ることはできず、またガラス窓等に貼り絵を貼り付けた場合においても、表面に面ファスナーが露出している場合には面ファスナーの存在が美観を損なったり、反対側から鮮やかな色調の模様を見ることはできないという問題点を解決することを目的とするものである。さらに本発明は、耐候性にも優れている貼り絵や窓ガラスの装飾を提供するものである。
【課題を解決するための手段】
【００１１】
すなわち、本発明は、基板およびその表面から立ち上がる多数の雄型係合素子からなる雄型成形面ファスナーの該雄型係合素子に、着色された繊維または布帛を係合させて模様を形成した貼り絵であって、該雄型成形面ファスナーが透明性を有していることを特徴とする貼り絵である。
【００１２】
そして、好ましくは、雄型成形面ファスナーの裏面を透明な粘着剤により板に貼り合わせた上記の貼り絵であり、その板が、透明な合成樹脂製またはガラス製の板である上記の貼り絵である。また好ましくは、前記貼り絵の裏面に別の貼り絵が重ね合わされ、裏面に重ね合わせた別の貼り絵の模様が雄型成形面ファスナーを通して見ることができる上記の貼り絵である。
【００１３】
さらに好ましくは、雄型成形面ファスナーの基板および係合素子がともにアクリル酸ブチルとメタクリル酸メチルのブロック共重合体からなる上記の貼り絵である。
また好ましくは、雄型成形面ファスナーが、基板から突出するステムの先端が逆Ｊ字型に曲がっている形状を有している雄型係合素子が基板表面に列をなして多数存在しており、同一列に存在している雄型係合素子は曲がっている方向が列方向でかつ同一であり、さらに１列単位であるいは複数列単位で曲がっている方向が逆となっている上記の貼り絵である。
【００１４】
そして好ましくは、雄型係合素子の高さが、０．３ｍｍ〜１．０ｍｍで、雄型係合素子を上面から見た場合に係合素子が基板に占める面積割合が１５〜４０％である上記の貼り絵である。
【００１５】
また、本発明の貼り絵は、上記雄型成形面ファスナー及びそれに係合させる繊維または布帛のセットを含む貼り絵セットでもよい。
【発明の効果】
【００１６】
本発明に用いる雄型成形面ファスナーは透明性に優れ、さらに好ましくは柔軟なエラストマー樹脂であることから、貼り付ける対象物が曲面であっても粘着剤や接着剤で面に沿って貼り付けることができ、さらに貼り付ける際に、間に空気等が入り難くかつ空気を追い出し易く、したがって透明性を損なうことが少ない。しかも、上記共重合体は、耐候性に優れていることから、太陽光や照明が当たる用途に適し、特に貼り絵に使用しても黄変することがない。
【００１７】
さらに本発明では、使用する雄型成形面ファスナーの雄型係合素子の形状を前記したような逆Ｊ字型とするのが好ましく、このような形状の係合素子が表面に存在することによる透明性の低下を軽減している。さらに、係合素子の高さや面積割合を規定することにより、透明性の低下をより一層防いでいる。
【００１８】
また本発明の貼り絵では、雄型成形面ファスナーが透明性に優れていることから、その裏面に存在させた別の貼り絵や、背景となる模様シートの色調や模様を大きく損なうことがなく、したがって深みのある貼り絵が得られる。さらに、本発明の貼り絵を重ね合わせることにより立体感を有する貼り絵が得られる。しかも、本発明の面ファスナーを構成している共重合体は耐候性にも優れていることから、例え表面に係合させた繊維や布帛が退色しても退色した繊維や布帛を簡単に取り換えることができ、したがって長期間にわたり楽しむことができる。
【００１９】
さらに、例えば本発明の貼り絵を窓ガラス等に貼り付けた場合には、雄型成形面ファスナーを介して着色した繊維や布帛の模様が裏面側（すなわち、外から窓ガラスを見た側）から鮮明に見えることとなり、また雄型成形面ファスナー自体は透明性を有しているために目立たず、雄型成形面ファスナーの存在が原因で美観を損なうということが少ない。また、本発明の貼り絵では、雄型係合素子が柔軟なエラストマー樹脂から形成されていることから、係合させる着色した繊維や布帛が例え間違った場所に係合された場合であっても容易に剥がすことが可能である。
【図面の簡単な説明】
【００２０】
【図１】本発明に使用する雄型成形面ファスナーの一例を模式的に示す斜視図である。
【図２】本発明に使用する雄型成形面ファスナーの一例を模式的に示す上面図と断面図である。
【図３】本発明の貼り絵の一例を模式的に示す正面図である。
【図４】本発明の貼り絵の一例の係合部分を拡大して模式的に示した断面図であり、雄型係合素子に着色した繊維または布帛が係合している状態を示している。
【発明を実施するための形態】
【００２１】
本発明の貼り絵について添付の図面に基づき詳細に説明する。
【００２２】
まず、本発明に使用する雄型成形面ファスナーは透明性を有するものであらねばならない。本発明で透明性を有するとは、雄型成形面ファスナーを２枚重ねて文庫本の文字が判別できる程度の透明性のことを意味している。透明性を達成するためには、まず構成している樹脂が重要であり、そして、面ファスナーの形状も多少影響する。
【００２３】
このような透明性を有する雄型成形面ファスナーは、好ましくは、前記したようにアクリル酸ブチルとメタクリル酸メチルのブロック共重合体からなる。アクリル酸ブチルとメタクリル酸メチルのブロック共重合体としては、重量平均分子量が４万〜１０万であり、アクリル酸ブチルとメタクリル酸メチルの重量比が５５：４５〜７５：２５であるブロック共重合体が成形性と柔軟性の点で好ましい。もちろん、アクリル酸ブチルとメタクリル酸メチル以外の第３成分が少量共重合されていてもよい。アクリル酸ブチルとメタクリル酸メチルの重量比に関しては、上記範囲を外れるようなブロック共重合をブレンドして上記範囲内とすることもできる。
【００２４】
そして、このようなブロック共重合体は、１個のアクリル酸ブチル単位を主体とする重合体ブロック（ａ１）と２個のメタクリル酸メチル単位を主体とする重合体ブロック（ａ２）からなる（ａ２）−（ａ１）−（ａ２）構造を有しているのが好ましい。重合体ブロック（ａ１）がソフトセグメント成分、重合体ブロック（ａ２）がハードセグメント成分を形成し、このハードセグメント成分とソフトセグメント成分が、樹脂に柔軟性と伸縮性を与えることとなる。なお、このようなブロック共重合体は、株式会社クラレから「クラリティ」(登録商標)の商品名で販売されている。
【００２５】
本発明に使用する雄型成形面ファスナーは、このようなブロック共重合体からなるものの他に、ナイロン−１２からなる雄型成形面ファスナーが挙げられる。ナイロン−１２は柔軟性に優れるエラストマー樹脂であることから、柔軟で貼り絵作業に適したものである。
【００２６】
このような透明性樹脂から雄型成形面ファスナーを形成する。雄型成形面ファスナーは、基板およびその表面から立ち上がる多数の雄型係合素子からなり、同基板および同係合素子がともにアクリル酸ブチルとメタクリル酸メチルのブロック共重合体からなる。好ましくは、図１に示すように雄型成形面ファスナーが、基板(１)から突出するステムの先端が逆Ｊ字型に曲がっている形状を有している雄型係合素子(２)が基板表面に列をなして多数存在しており（図１ではＭＤ方向に列をなして存在している）、同一列に存在している雄型係合素子は曲がっている方向が列方向でかつ同一であり、さらに１列単位であるいは複数列単位（図１では１列単位）で曲がっている方向が逆となっている雄型成形面ファスナーである。
【００２７】
貼り絵に使用されるためには、雄型成形面ファスナーは広い幅を有するものであることが好ましい。このような広い幅の成形面ファスナーを製造する方法としては、係合素子形状のキャビティを多数設けた金属ロール面上に樹脂を流し、固化後に金属ロール面から固化した、表面に雄型係合素子を多数有する樹脂シートを剥離して製造する方法と、成形面ファスナーの断面形状を有するノズルから樹脂をシート状に押し出し、シート上に係合素子条を有するシートを作製し、そして係合素子条にシート幅方向に切れ目を入れ、そしてシートを長さ方向に延伸して係合素子条を独立した係合素子の列とする押出成形方法の二通りがあるが、本発明では、より透明性に優れた成形面ファスナーが得られやすいこと、およびより幅広い成形面ファスナーが得られ易いことから前者の方法を用いるのが好ましい。
【００２８】
この前者の方法の代表例について説明すると、まず雄型係合素子の形状（逆Ｊ字型形状）を外円周上に彫った厚さ０．１〜０．５ｍｍのリング状金型、そのような形状に彫っていない金属製リング、上記逆Ｊ字型形状と逆の方向を逆Ｊ字が向いている逆Ｊ字型形状を外円周上に彫った厚さ０．１〜０．５ｍｍのリング状金型、そのような形状に彫っていない金属製リングを順々に重ね合わせることにより、その外周表面に逆Ｊ字型形状のキャビティおよび逆Ｊ字の方向が逆方向である逆Ｊ字型形状のキャビティを表面に多数有する金型ローラーをまず用意する。このとき、重ね合わせた金属製リング間で表面に段差および隙間が生じないように、同一径のリングを隙間なく重ね合わせることが透明性を高める上で好ましい。なお、上記説明では、逆Ｊ字型キャビティを有するリング状金型と逆の方向を向いている逆Ｊ字型キャビティを１枚単位で挿入する場合を説明したが、２枚以上の単位で挿入してもよい。
【００２９】
次にこのローラーと相対する位置に存在する別のドラムローラーとの隙間に前記アクリル酸ブチルとメタクリル酸メチルのブロック共重合体からなるペレットの溶融物を押し出し、圧迫することによりそのキャビティ内にアクリル酸ブチルとメタクリル酸メチルのブロック共重合体を充填させると共にローラー表面に均一な厚さを有するシートを形成し、金型ローラーが回転している間にローラー内に常時循環される冷媒によりキャビティ内の該共重合体を冷却固化させたのち、得られる成形雄型面ファスナーの基板厚さとなるように隙間調整したニップローラーにより引き延ばすとともに冷却されたシートを金型ローラー表面から引き剥がす。場合によっては、係合素子間の平坦部をより平坦とするために、該平坦部を加熱ロールで押さえつけて、リング間の段差や隙間を解消して雄型成形面ファスナーの透明性を高める方法を用いてもよい。
【００３０】
このようして得られた雄型成形面ファスナーは、雄型係合素子の高さが、０．３ｍｍ〜１．０ｍｍで、雄型成形面ファスナーを上面から見た場合に、雄型係合素子が基板に占める面積割合が１５〜４０％であるのが係合力を損なわず透明性を高度に達成できる上で好ましい。より好ましくは、雄型係合素子の高さが０．４〜０．８ｍｍで、係合素子の面積割合が２０〜３５％の場合である。
【００３１】
一般に、基板から突出するステムの先端が逆Ｊ字型に曲がっている形状を有している雄型係合素子が基板表面に列をなして多数存在している雄型成形面ファスナーの場合、係合素子の高さとして１．３〜２．０ｍｍ、基板に占める面積割合として２５〜３５％のものが用いられている。本発明で規定する範囲はこの一般的な範囲から外れており、これにより前記したように優れた透明性が得られることとなる。
【００３２】
なお係合素子が基板に占める面積割合とは、図２に示すように、雄型成形面ファスナーを上面から見た場合に、雄型係合素子がＭＤ方向およびＣＤ方向に隣り合う雄型係合素子との間の面積（Ｓ１）に対する雄型係合素子が占める面積（Ｓ２）の割合（Ｓ２／Ｓ１）である。そして、雄型係合素子が基板面から切り立っておらずに、徐々に立ち上がっている場合には、明らかに立ち上がっていることが分かる部分から上が雄型係合素子となる。
【００３３】
また雄型成形面ファスナーの基板の厚さとしては０．１〜１．０ｍｍ、雄型係合素子の素子密度としては７０〜２００個／ｃｍ2、基板の幅としては５〜１２ｃｍの範囲がそれぞれ好ましい。
【００３４】
なお、本発明に使用する雄型成形面ファスナーには、透明性を損なわない範囲で、各種安定剤や粘度調整剤等が添加されていてもよく、さらに透明性を損なわない範囲の着色剤により透明着色されていてもよい。
【００３５】
次に、本発明の貼り絵について説明する。図３は、貼り絵の一例を示す図である。この図において、絵の全面に、透明性を有する雄型成形面ファスナー(１と２)が敷き詰められており、そして雄型成形面ファスナーの裏面に、背景となる空色のシートが重ね合わされている。そして、雄型成形面ファスナーの表面には、ヤシの木、椅子およびそれに腰かける人物、島、草、遠くに見える船、煙と雲、さらに海の模様となるようにそれぞれの色を有する繊維または布帛(３)が雄型係合素子に係合して、模様を形成している。
【００３６】
また、雲と遠くに見える船と煙だけを別の雄型成形面ファスナー上に貼り絵として形成し、前面にそれ以外のものを存在させた透明な面ファスナーからなる貼り絵を重ね合わせることも可能であり、このように模様を多重にすることにより一層立体感を有する貼り絵を形成することができる。
【００３７】
雄型係合素子に係合させることにより模様を形成する繊維または布帛としては、着色（白色を含む）させた繊維または布帛であり、予め所望のそれぞれの色に着色した繊維または布帛を用意しておき、それを所望の形状にして、さらに必要により着色した繊維をブレンドして色を調整し、成形面ファスナーの所定の場所に係合させるようにして模様を形成する。必要により、係合させた後に一部を着色してもよい。
【００３８】
繊維としては、捲縮を付与した綿状のもの、スライバー状のものなど係合素子と係合できるものが用いられ、布帛としては、係合できるように表面に繊維毛羽やループ状繊維を多数存在させた織編物や不織布が用いられる。特に軽くニードルパンチした不織布が好ましい。このような繊維や布帛を所望の形状にして、所望の位置の雄型成形面ファスナーの雄型係合素子と係合させて模様を形成する。図４は、雄型成形面ファスナーの係合素子（２）に綿状繊維（３）を係合させた状態を模式的に示している。
【００３９】
面積の広い貼り絵を作成する場合には、幅の広い雄型成形面ファスナーを用いる必要があるが、あまりに広い幅の雄型成形面ファスナーは工業的に製造が難しく、例えば幅が３０ｃｍを超えるような雄型成形面ファスナーが必要な場合には、透明な板に複数の雄型成形面ファスナーを繋ぎ合わせるのが好ましく、例えば、透明な合成樹脂板やガラス板の表面に透明な粘着剤を介して雄型成形面ファスナーを隙間なく繋ぎ合わせる方法が用いられる。図４では、面ファスナー(１と２)の裏面に粘着剤層(７)を介して透明なガラス板や合成樹脂板(８)が一体化されている。
【００４０】
また、クリスマスの装飾のように窓ガラスに本発明の貼り絵を貼り合わせることも可能で、例えば、窓ガラスの所望の位置に、本発明の雄型成形面ファスナーを透明な粘着剤で貼り付け、そして、その面ファスナーの雄型係合素子に着色した繊維や布帛を係合させて模様を形成することができる。この場合には、窓ガラスの両面から模様を楽しむことができる。また雄型成形面ファスナーの貼り付け位置を正確に模様の位置と同一させる必要がなく、広めに面ファスナーを貼り付け、その所望位置に模様を形成させることができる。したがって模様の成形や面ファスナーの貼り付けが極めて容易である。
【００４１】
本発明を構成する雄型成形面ファスナーは透明性に優れる他に、耐候性にも優れているのが好ましく、前記したブロック共重合体からなる雄型成形面ファスナーは耐候性の点においても優れており、窓ガラスに貼り付けても太陽光等により面ファスナーが黄変することがない。したがって、表面の模様を季節により取り換え、長期にわたり楽しむことも可能となる。なお、粘着剤としては、アクリル系粘着剤が面ファスナーとの粘着性の点で、さらに透明性の点で好ましい。
【００４２】
さらに本発明の雄型成形面ファスナーを用いた貼り絵は、乳濁した樹脂板やガラス板の上に形成することもでき、裏面からライトを照らすことにより、模様を際立たせることもできる。その際に、面ファスナーの存在がライトの明るさを妨げないことから、模様を自由に形成することができる。
【実施例】
【００４３】
以下、実施例により本発明を具体的に説明する。
【００４４】
実施例１
［成形に用いた樹脂の準備］
成形樹脂として、株式会社クラレから販売されている「クラリティＬＡ４２８５」と「クラリティＬＢ５５０」を重量比６０：４０でブレンドすることにより、アクリル酸ブチルとメタクリル酸メチルのブロック共重合体であって重量平均分子量が６万であり、アクリル酸ブチルとメタクリル酸メチルの重量比が６０：４０であり、アクリル酸ブチルのブロック成分の両末端にメタクリル酸メチルのブロック成分が存在しているブロック共重合体を用意した。
【００４５】
［成形用金型］
金型として、雄型係合素子の形状（逆Ｊ字型形状）を外円周上に彫った厚さ０．２ｍｍで直径２１２ｍｍのリング状金型、そのような形状を彫っていない外周面がフラットな厚さ０．３ｍｍで直径２１２ｍｍの金属製リング、上記逆Ｊ字型形状と逆の方向を逆Ｊ字が向いている逆Ｊ字型形状を外円周上に彫った厚さ０．２ｍｍで直径２１２ｍｍのリング状金型、そのような形状を彫っていない外周面がフラットな厚さ０．３ｍｍで直径２１２ｍｍの金属製リングを順々に重ね合わせることにより、その外周表面に逆Ｊ字型形状のキャビティおよび逆Ｊ字の方向が逆方向である逆Ｊ字型形状のキャビティを表面に多数有する、表面がキャビティ以外は極めてフラットである幅１２０ｍｍの金型ローラーを用意した。なお、重ね合わせた金属製リング間で表面に段差や隙間が全く生じないように、重ね合わせる際にリングの位置を微調整した。
【００４６】
［雄型成形面ファスナーの製造］
上記の金型ローラーと相対する位置に存在する別のドラムローラーとの隙間に上記アクリル酸ブチルとメタクリル酸メチルのブロック共重合体からなる溶融物を押し出し、圧迫することによりそのキャビティ内にブロック共重合体を充填させると共にローラー表面に均一な厚さを有するシートを形成し、金型ローラーが回転している間にローラー内に常時循環されている水によりキャビティ内の該共重合体を冷却固化させたのち、基板厚さが０．２５ｍｍとなるように隙間調整したニップローラーにより引き延ばすとともに冷却されたシートを金型ローラー表面から引き剥がして、雄型成形面ファスナーを製造した。
【００４７】
得られた雄型成形面ファスナーの雄型係合素子の形状は逆Ｊ字型であり、その高さは基板面から０．７５ｍｍ、雄型係合素子密度は１２０個／ｃｍ2であり、また係合素子の面積割合は２２％、基板厚さは０．３ｍｍ、基板の幅は１２０ｍｍであった。
この雄型成形面ファスナーは透明性に極めて優れており、文庫本のページの上に３枚重ねておき、その上からでも文字を十分に読むことができた。また伸縮性にも優れ、折り曲げても力を除去すると元の状態に直ちに戻り、折り曲げた箇所には筋等の痕跡が全く残らなかった。さらに耐候性にも優れ、屋外に置き、４〜１１月の９か月間にわたり太陽光に晒したが、全く透明性や形状や係合性能に変化はなかった。
【００４８】
［貼り絵(１)の作製］
上記雄型成形面ファスナーを用いて貼り絵を作製した。すなわち、上記雄型成形面ファスナーの裏面に、透明な厚さ２．４ｍｍのアクリル樹脂板をアクリル系粘着剤により間に気泡が入らないように貼り合わせた。その表面に、色を有する繊維綿や不織布を係合させることにより図３に示すような模様の貼り絵を作製した。
【００４９】
すなわち、椅子と人物および草のところには、それぞれの色に着色した繊維の束を係合させた。またヤシ、島、海、船、煙および雲に関しては、ニードルパンチを軽く打ち、それぞれの色に染色した不織布から、それぞれの形状に切り取ったものを係合させた。さらに、海の空との界面部や島と空の境界部には、綿を徐々に薄く付して立体感を出した。さらにアクリル板の裏面に、鮮やかな空色のシートで海に近づくほど空色が薄くなるように塗布したシートを重ねた。
得られた貼り絵(１)は、鮮やかな空色を背景に南国ののどかなリゾート地の雰囲気を十分に醸し出しているものであった。
【００５０】
[貼り絵(２)の作製]
上記貼り絵(１)の製造において、船と煙と雲を上記アクリル板付成形面ファスナーとは別のアクリル板付き成形面ファスナーに別に貼り付け、その新たなアクリル板付き成形面ファスナーを、貼り絵(１)のアクリル板付き成形面ファスナーと背景となる空色のシートの間に挿入する以外は上記貼り絵(１)と同様にして貼り絵(２)を作製した。得られた貼り絵(２)は、空色を背景として船と煙と雲が遠くに見え、より立体感を有するものであり、高級感ある貼り絵であり、観賞用に十分耐え得るものであった。
【００５１】
[貼り絵(３)の作製]
上記雄型成形面ファスナーの裏面にアクリル系粘着剤を塗布し、そして大まかにサンタクロースの形状に切り抜き、ガラス窓の透明ガラス板に該粘着剤により貼り付けた。次に、サンタクロースの形状に切った不織布パーツを上記成形面ファスナーに係合させ、そして、顔やベルトや髭となる部分にはそれぞれの色の繊維綿を貼り付け、さらに顔の目、鼻、口を裏面からも分かるように繊維で色づけた。
【００５２】
得られた模様は面ファスナーの存在が殆ど目立たず、さらに窓ガラス裏面から見ても、サンタクロースがよく分かる装飾性に優れたものであった。なお、繊維綿を雄型成形面ファスナーに係合させる際に、位置がずれている繊維綿を面ファスナー表面から取り除く作業が極めて容易であり、貼り絵の作製が極めてスピーディーにできた。
【００５３】
実施例２
上記実施例１において、アクリル酸ブチルとメタクリル酸メチルのブロック共重合体を、株式会社クラレから販売されている「クラリティＬＡ２２５０」(アクリル酸ブチルブロックとメタクリル酸メチルブロックの重量比は６８：３２、重量平均分子量は６．８万、アクリル酸ブチルのブロック成分の両末端にメタクリル酸メチルのブロック成分が存在している)に置き換える以外は実施例１と同様にして雄型成形面ファスナーの雄型係合素子の形状は逆Ｊ字型の雄型係合素子を有する雄型成形面ファスナーを製造した。この雄型成形面ファスナーは透明性に極めて優れており、文庫本のページの上に３枚重ねておき、その上からでも文字を十分に読むことができた。
【００５４】
この雄型成形面ファスナーを用いて、実施例１と同様に貼り絵(２)を作製したところ、得られた貼り絵(２)は、実施例１のものと同様に雄型成形面ファスナーの存在により立体感と高級感を有するものであり、会社の応接室に飾る価値のあるものであった。
【００５５】
実施例３
実施例１において、雄型係合素子の高さを基板面から１．１ｍｍ、雄型係合素子密度を１１０個／ｃｍ2であり、また係合素子の面積割合は３７％に変更する以外は実施例１と同様に雄型成形面ファスナーを製造した。このものは透明性の点で実施例１のものより劣り、この雄型成形面ファスナーを文庫本のページの上に２枚重ねておき、その上からでも文字を十分に読むことができたが、３枚の場合には、透けて文字の存在が分かるものの文字の判別が困難であった。
【００５６】
上記貼り絵(２)と同様に貼り絵に使用したところ、雄型成形面ファスナーの存在により背景の空色が鮮明さにおいて実施例１のものより劣るものではあった。しかしながら、空色を背景として船と煙と雲が遠くに見え、十分に立体感を有するものであった。
【００５７】
実施例４
上記実施例１において、雄型成形面ファスナーの成形に使用する樹脂としてナイロン−１２を用いる以外は実施例１と同様にして雄型成形面ファスナーを製造した。この雄型成形面ファスナーは実施例１のものと比べると劣るものの透明性に優れており、文庫本のページの上に２枚重ねておき、その上からでも文字を十分に読むことができた。ただ、３枚重ねとした場合には、文字の判別が難しい箇所も所々存在した。
【００５８】
この透明面ファスナーを用いて、上記貼り絵(２)と同様に貼り絵を作製したところ、雄型成形面ファスナーの存在により背景の空色が鮮明さにおいて実施例１のものより劣るものの、鮮明で遠近感に優れたものであった。そして青い空を背景として船と煙と雲が遠くに見え、十分に立体感を有するものであった。
【符号の説明】
【００５９】
１：基板
２：雄型係合素子
３：係合させた繊維または布帛
７：粘着剤層
８：裏面に貼り付けた透明板
Ｓ１：雄型係合素子がＭＤ方向およびＣＤ方向に隣り合う雄型係合素子との間の面積
Ｓ２：雄型係合素子が占める面積
【図１】
2018126875.tif 000003
【図２】
2018126875.tif 000004
【図３】
2018126875.tif 000005
【図４】
2018126875.tif 000006